(57)【要約】【課題】  水のある貯水部の直近で水素を発生させることで、発生した水素を消失させることなく貯水部の水中に導入できると共に、構造も簡略化可能な、水素生成システムを提供する。【解決手段】  貯水部９０の水のある内側領域に面して設けられるチャンバー部１０内に電気分解用の対向電極部２０を設け、チャンバー部１０内に貯水部９０内の水を流通させて対向電極部２０各表面に電気分解に伴う気泡を発生させると共に、対向電極部２０間に水流を積極的に生じさせ、対向電極部２０の表面から水素の気泡を離脱させてチャンバー部１０から貯水部９０内に進行させることから、貯水部９０と一続きのチャンバー部１０から貯水部９０内の水に水素の気泡を直接導入する簡略な構造として、容易に設置することができ、導入のためのコストを抑えられると共に、貯水部９０内に水素が水中から失われることなく到達でき、水素を貯水部９０の水中に最大限保持させられる。【選択図】  図３
2018023937.tif 000002
【特許請求の範囲】
【請求項１】
水又は湯が所定量保持される貯水部における水面位置より下側の壁又は底に当該壁又は底から外側に突出する配置として配設され、貯水部の壁又は底の開口部分を通じて貯水部の内側領域に連通する空隙部分を内部に設けられ、当該空隙部分に貯水部内の水又は湯を流通可能とされるチャンバー部と、
水の電気分解用の陽極部と陰極部を対向状態としつつ交互に一又は複数並べて一体化して形成され、前記チャンバー部内に着脱可能に配設される対向電極部と、
前記対向電極部の陽極部と陰極部間に水又は湯の流通状態を生じさせる水流発生手段とを備え、
前記対向電極部に所定の給電手段より電力を供給して、少なくとも水素の気泡を発生させ、当該水素気泡をチャンバー部から貯水部内の水又は湯に導入することを
特徴とする水素生成システム。
【請求項２】
前記請求項１に記載の水素生成システムにおいて、
前記給電手段が、
前記チャンバー部の外側にチャンバー部と隣接させて配置される非接触電力伝送用の給電部と、
前記チャンバー部内の前記給電部と対向する位置関係となる所定箇所に配設され、少なくとも前記対向電極部に電力供給可能とされる、前記給電部と対をなす非接触電力伝送用の受電部とを備えることを
特徴とする水素生成システム。
【請求項３】
前記請求項１又は２に記載の水素生成システムにおいて、
前記水流発生手段が、前記給電手段より電力を供給されて作動し、前記貯水部の水又は湯を取り入れて前記対向電極部の各陽極部と陰極部間に送り出すポンプ部とされることを
特徴とする水素生成システム。
【請求項４】
前記請求項２に記載の水素生成システムにおいて、
前記チャンバー部内に防水状態として配設され、前記受電部と電気的に接続されて、少なくとも前記対向電極部への前記受電部からの電力供給を制御する制御回路部と、
前記貯水部の外に配設され、使用者の入力操作を受けて前記制御回路部に対する制御指示を発する操作制御部とを備え、
前記給電部と受電部が、電力伝送と並行して給電部と受電部との間の通信を可能とされ、
前記操作制御部が、前記給電部と電気的に接続され、操作制御部から制御回路部への少なくとも前記対向電極部の通電制御に係る信号送信が、前記給電部と受電部を通じてなされることを
特徴とする水素生成システム。
【請求項５】
前記請求項２に記載の水素生成システムにおいて、
前記受電部が、電力伝送に伴う発熱で周囲の水又は湯を加熱し、水又は湯の熱対流を生じさせて前記対向電極部の各陽極部と陰極部間に水又は湯の流通状態を与える、前記水流発生手段を兼ねるものであることを
特徴とする水素生成システム。
【請求項６】
前記請求項１ないし４のいずれかに記載の水素生成システムにおいて、
前記水流発生手段が、前記給電手段より電力を供給されて発熱し、周囲の水又は湯を加熱して水又は湯の熱対流を生じさせて、前記対向電極部の各陽極部と陰極部間に水又は湯の流通状態を与えるヒータとされることを
特徴とする水素生成システム。
【請求項７】
前記請求項２に記載の水素生成システムにおいて、
前記受電部が、耐食性を有する金属材部分が露出したコイル部を有してチャンバー部に配設され、前記対向電極部における陽極部と陰極部のいずれか一方を兼ねることを
特徴とする水素生成システム。
【請求項８】
前記請求項２ないし７のいずれかに記載の水素生成システムにおいて、
少なくともチャンバー部に対し着脱可能として配設される所定の支持枠部を備え、
前記チャンバー部内に配設される前記対向電極部、水流発生手段、及び受電部が、前記支持枠部に取り付けられ、当該支持枠部ごとチャンバー部に対し着脱可能とされることを
特徴とする水素生成システム。
【発明の詳細な説明】
【技術分野】
【０００１】
本発明は、浴槽などの水を保持する貯水部で水を電気分解して水素を生成し、水素を貯水部の水中に導入可能とする水素生成システムに関する。
【背景技術】
【０００２】
供給された水道水や井戸水等を浄水処理した後、これらの水を電気分解して電解水、すなわち飲用水として利用可能なアルカリ性電解水を生成する電解水生成器（イオン整水器）はよく知られているが、こうした飲用用途以外に水の電気分解を利用するものとして、近年、浴槽の水に電気分解で得られた水素ガスや電解水を導入して、浴槽の水の還元力を高め、入浴した使用者の肌に対し、酸化抑制等の効果を生じさせることを目的とした装置が提案されている。こうした従来の電解水生成装置の例として、特開２００６−１２２７５０号公報や特許第４４９７５５８号公報に開示されるものがある。
【先行技術文献】
【特許文献】
【０００３】
【特許文献１】特開２００６−１２２７５０号公報
【特許文献２】特許第４４９７５５８号公報
【発明の概要】
【発明が解決しようとする課題】
【０００４】
従来の電解水生成装置は、前記特許文献に示される構成とされており、浴槽からいったん取り出した水を電解槽に投入して電気分解を行い、生じた電解水を含む水を浴槽に循環させるものとなっていたことから、電解槽から浴槽までの経路を流通する間に水素や電解水の効果が失われやすく、十分に効果を発揮させられないという課題を有していた。
【０００５】
また、こうした従来の装置は、浴槽の外に電解槽や水を流通させるための配管等が必要となり、複雑な構造となることで、設置に手間やコストがかかるものとなっており、容易に導入できないという課題を有していた。
【０００６】
本発明は前記課題を解消するためになされたもので、水のある貯水部の直近で水素を発生させることで、発生した水素を消失させることなく貯水部の水中に導入できると共に、構造も簡略化可能な、水素生成システムを提供することを目的とする。
【課題を解決するための手段】
【０００７】
本発明の開示に係る水素生成システムは、水又は湯が所定量保持される貯水部における水面位置より下側の壁又は底に当該壁又は底から外側に突出する配置として配設され、貯水部の壁又は底の開口部分を通じて貯水部の内側領域に連通する空隙部分を内部に設けられ、当該空隙部分に貯水部内の水又は湯を流通可能とされるチャンバー部と、水の電気分解用の陽極部と陰極部を対向状態としつつ交互に一又は複数並べて一体化して形成され、前記チャンバー部内に着脱可能に配設される対向電極部と、前記対向電極部の陽極部と陰極部間に水又は湯の流通状態を生じさせる水流発生手段とを備え、前記対向電極部に所定の給電手段より電力を供給して、少なくとも水素の気泡を発生させ、当該水素気泡をチャンバー部から貯水部内の水又は湯に導入するものである。
【０００８】
このように本発明の開示によれば、貯水部の水のある内側領域に面して設けられるチャンバー部内に電気分解用の対向電極部を設け、チャンバー部内に貯水部内の水を流通させて対向電極部各表面に電気分解に伴う気泡を発生させると共に、水流発生手段で対向電極部間に水流を積極的に生じさせ、対向電極部の表面から水素の気泡を離脱させてチャンバー部から貯水部内に進行させることにより、貯水部と一続きのチャンバー部から貯水部内の水に水素の気泡を直接導入する簡略な構造として、容易に設置することができ、導入のためのコストを抑えられると共に、貯水部内に水素が水中から失われることなく到達でき、水素を貯水部の水中に最大限保持させられる。また、対向電極部の陰極部の表面に発生した水素の気泡を、水流発生手段による水流が対向電極部から速やかに離脱させて貯水部の水中に導入でき、気泡発生直後で気泡の大きさが小さく浮力も小さい水素気泡を、早期に浮上させることなく水中により長く保持可能となり、電気分解で生成した水素をできるだけ貯水部内の水中に残存させて、貯水部内の水の水素濃度を高め、貯水部内で水素による酸化防止効果を効率よく発揮させることができる。さらに、貯水部の壁又は底に対しより外側に位置するチャンバー部内に対向電極部を配置して、貯水部内に人が入る場合にチャンバー部内には手足が届きにくいことで、貯水部内で人が誤って対向電極部に接触するような事態も起こりにくく、信頼性や安全性を確保できる。
【０００９】
また、本発明の開示に係る水素生成システムは必要に応じて、前記給電手段が、前記チャンバー部の外側にチャンバー部と隣接させて配置される非接触電力伝送用の給電部と、前記チャンバー部内の前記給電部と対向する位置関係となる所定箇所に配設され、少なくとも前記対向電極部に電力供給可能とされる、前記給電部と対をなす非接触電力伝送用の受電部とを備えるものである。
【００１０】
このように本発明の開示によれば、貯水部の外側の給電部とチャンバー部内の受電部との間で、非接触で電力伝送を行うようにして、チャンバー部内の各部への電力供給に際し、外部からチャンバー部内に通じる電力供給用の導線を不要とすることにより、貯水部の外殻部分やチャンバー部に導線の通る貫通部を設けずに済み、チャンバー部周囲の防水状態を確保しつつの電力線端子接続等の複雑な構造が不要となり、部品点数を減らして電気的接続構造を簡略化できると共に、チャンバー部の防水に係る構造も簡略化でき、コストダウンが図れる。
【００１１】
また、本発明の開示に係る水素生成システムは必要に応じて、前記水流発生手段が、前記給電手段より電力を供給されて作動し、前記貯水部の水又は湯を取り入れて前記対向電極部の各陽極部と陰極部間に送り出すポンプ部とされるものである。
【００１２】
このように本発明の開示によれば、水流発生手段として、給電されて作動するポンプ部を設けて、対向電極部の陽極部と陰極部間にポンプ部で水を送給して水流を生じさせることにより、ポンプ部の作動状態を変えて所望の流速の水流を得やすく、水流の流速に基づいて気泡の大きさを変化させ、水中での気泡の上昇の度合いを適宜設定でき、水流の流速を大きくして水素気泡の大きさが小さい時期での離脱を促し、水中で浮上しにくい小さな水素気泡として水素気泡の水中濃度を多くしたり、水流の流速を小さくして水素気泡を大きく成長させ、水中で浮上しやすい大きさの水素気泡を得て、水素気泡の水中への速やかな放出を可能とすることができる。
【００１３】
また、本発明の開示に係る水素生成システムは必要に応じて、前記チャンバー部内に防水状態として配設され、前記受電部と電気的に接続されて、少なくとも前記対向電極部への前記受電部からの電力供給を制御する制御回路部と、前記貯水部の外に配設され、使用者の入力操作を受けて前記制御回路部に対する制御指示を発する操作制御部とを備え、前記給電部と受電部が、電力伝送と並行して給電部と受電部との間の通信を可能とされ、前記操作制御部が、前記給電部と電気的に接続され、操作制御部から制御回路部への少なくとも前記対向電極部の通電制御に係る信号送信が、前記給電部と受電部を通じてなされるものである。
【００１４】
このように本発明の開示によれば、給電部と受電部との間で電力伝送を行うと共に、給電部と受電部との間の通信も並行して行えるようにし、貯水部の外に配設される操作制御部から、チャンバー部に設けられる制御回路部への制御信号送信を、この給電部と受電部との間での通信により実行することにより、操作制御部と制御回路部との間で有線接続することなく非接触で制御に係る通信が行え、防水状態を確保しつつの信号線端子接続等の複雑な構造が不要となり、部品点数を減らして電気的接続構造を簡略化できると共に、チャンバー部の防水に係る構造も簡略化でき、コストダウンが図れる。
【００１５】
また、本発明の開示に係る水素生成システムは必要に応じて、前記受電部が、電力伝送に伴う発熱で周囲の水又は湯を加熱し、水又は湯の熱対流を生じさせて前記対向電極部の各陽極部と陰極部間に水又は湯の流通状態を与える、前記水流発生手段を兼ねるものである。
【００１６】
このように本発明の開示によれば、電力伝送を行うチャンバー部内の受電部から発生する熱で水の熱対流を生じさせ、この熱対流に基づいて対向電極部の陽極部と陰極部間に水を流通させるようにして、受電部を水流発生手段としても用いることにより、受電部の他に別途水流発生手段を設けずに済み、構造を簡略化できると共に、水流を発生させるのに可動部分を有する機構が不要となり、故障が生じにくく、水の流通に係る信頼性を高められる。
【００１７】
また、本発明の開示に係る水素生成システムは必要に応じて、前記水流発生手段が、前記給電手段より電力を供給されて発熱し、周囲の水又は湯を加熱して水又は湯の熱対流を生じさせて、前記対向電極部の各陽極部と陰極部間に水又は湯の流通状態を与えるヒータとされるものである。
【００１８】
このように本発明の開示によれば、チャンバー部内のヒータから発生する熱で水の熱対流を生じさせ、この熱対流に基づいて対向電極部の陽極部と陰極部間に水を流通させるようにして、ヒータを水流発生手段として用いることにより、水流発生手段の構造を簡略化できると共に、水流を発生させるのに可動部分を有する機構が不要となり、故障が生じにくく、水の流通に係る信頼性を高められる。
【００１９】
また、本発明の開示に係る水素生成システムは必要に応じて、前記受電部が、耐食性を有する金属材部分が露出したコイル部を有してチャンバー部に配設され、前記対向電極部における陽極部と陰極部のいずれか一方を兼ねるものである。
【００２０】
このように本発明の開示によれば、電力伝送を行うチャンバー部内の受電部が対向電極部の一方の電極を兼ね、電力伝送により通電状態に移行すると、水中に露出した受電部の金属材部分が電気分解用の電極をなして、周囲の水の電気分解を進行させ、金属表面で気体を発生させることにより、受電部の他に別途同極側の電極を設けずに済み、構造を簡略化できると共に、受電部での電力伝送に伴って発生する熱が水の熱対流をもたらし、受電部近傍に水の流通状態を与える一種の水流発生手段としても作用することとなり、電極をなす受電部近傍における水の流通を促して、受電部の金属材部分と貯水部内の水とを接触しやすくし、水の電気分解をより効率よく行うことができる。
【００２１】
また、本発明の開示に係る水素生成システムは必要に応じて、少なくともチャンバー部に対し着脱可能として配設される所定の支持枠部を備え、前記チャンバー部内に配設される前記対向電極部、水流発生手段、及び受電部が、前記支持枠部に取り付けられ、当該支持枠部ごとチャンバー部に対し着脱可能とされるものである。
【００２２】
このように本発明の開示によれば、チャンバー部内に配設される対向電極部と、水流発生手段と、受電部とが、支持枠部に取り付けられて、この支持枠部と共にチャンバー部に対しまとめて着脱可能とされて、チャンバー部内に収められる各部品を一まとめに取り扱えることにより、チャンバー部内の各部品のメンテナンスや交換等のためにこれらのチャンバー部からの取付け、取り外しを行う際に、作業を効率よく行え、優れた保守性を与えられる。
【図面の簡単な説明】
【００２３】
【図１】本発明の第１の実施形態に係る水素生成システムの概略構成説明図である。
【図２】本発明の第１の実施形態に係る水素生成システムのブロック図である。
【図３】本発明の第１の実施形態に係る水素生成システムにおけるチャンバー部内の要部概略構成説明図である。
【図４】本発明の第１の実施形態に係る水素生成システムにおける対向電極部の平面図である。
【図５】本発明の第１の実施形態に係る水素生成システムにおける対向電極部間の水流の流速大の場合の気泡離脱状態説明図である。
【図６】本発明の第１の実施形態に係る水素生成システムにおける対向電極部間の水流の流速小の場合の気泡離脱状態説明図である。
【図７】本発明の第１の実施形態に係る水素生成システムにおけるチャンバー部内各部品及び支持枠部の着脱状態説明図である。
【図８】本発明の第１の実施形態に係る水素生成システムの他の貯水部への適用状態説明図である。
【図９】本発明の第１の実施形態に係る水素生成システムにおける他のチャンバー部内の要部概略構成説明図である。
【図１０】本発明の第１の実施形態に係る水素生成システムにおけるチャンバー部内への導線接続状態説明図である。
【図１１】本発明の第１の実施形態に係る水素生成システムにおけるチャンバー部内への電池配設状態説明図である。
【図１２】本発明の第２の実施形態に係る水素生成システムにおけるチャンバー部内の要部概略構成説明図である。
【図１３】本発明の第２の実施形態に係る水素生成システムにおけるチャンバー部内の他の構成例説明図である。
【図１４】本発明の第２の実施形態に係る水素生成システムにおける対向電極部の他の構成例説明図である。
【図１５】本発明の第３の実施形態に係る水素生成システムにおけるチャンバー部内の要部概略構成説明図である。
【発明を実施するための形態】
【００２４】
（本発明の第１の実施形態）
以下、本発明の第１の実施形態に係る水素生成システムを前記図１ないし図７に基づいて説明する。本実施形態においては、貯水部が浴槽であり、入浴に供する浴槽中の水又は湯に水素を導入する場合に適用するシステムの例について説明する。
【００２５】
前記各図において本実施形態に係る水素生成システム１は、水が所定量入る浴槽である貯水部９０の底に、この底から外側に突出する配置として配設されるチャンバー部１０と、水の電気分解用の陽極部２１と陰極部２２を対向状態としつつ交互に複数並べて一体化して形成され、チャンバー部１０内に着脱可能に配設される対向電極部２０と、チャンバー部１０内に配設され、対向電極部２０の陽極部２１と陰極部２２間に水の流通状態を生じさせる前記水流発生手段としてのポンプ部３０と、対向電極部２０に電力を供給する給電手段としての給電部４０と、チャンバー部１０内に配設され、対向電極部２０に通電可能に接続される受電部５０と、この受電部５０と電気的に接続されて受電部５０から対向電極部２０への通電を制御する制御回路部６０と、貯水部９０の外部で使用者の入力操作を受けて制御回路部６０に対する制御指示を発する操作制御部７０と、前記対向電極部２０、ポンプ部３０、及び受電部５０を取り付けられてチャンバー部１０に対し着脱可能とされる支持枠部８０とを備える構成である。
【００２６】
なお、本実施形態の水素生成システム１における対向電極部２０や通電のための各部品などの、水の電気分解により電解水や気体を生成する仕組み自体については、水素水生成器など、公知の電解水生成装置と同様のものであり、詳細な説明を省略する。
【００２７】
前記チャンバー部１０は、貯水部９０における底にこの底から外側に突出する配置として配設され、貯水部９０の底の開口部分を通じて貯水部９０の内側領域に連通する空隙部分を内部に設けられる構成であり、空隙部分に貯水部内の水又は湯を流通可能とされる仕組みである。このチャンバー部１０は、貯水部９０を外部と隔てる外殻部分に連続させて一体に設けられ、チャンバー部１０と貯水部９０との間からの水漏れを生じさせない構成である。
【００２８】
チャンバー部１０は、貯水部９０の内側領域から見ると貯水部９０の底の一部に設けられた凹部に相当するものとなっており、貯水部９０内へ水又は湯を入れると、同時にチャンバー部１０内にも水又は湯を導入できる仕組みである。
【００２９】
前記対向電極部２０は、金属製薄板からなる陽極部２１と陰極部２２とを所定間隔で対向状態としつつ交互に複数並べて一体化して形成されるものであり、前記支持枠部８０に陽極部２１と陰極部２２の並ぶ向きを上下方向に一致させるように取り付けられてチャンバー部１０内に着脱可能に配設される構成である。
【００３０】
この対向電極部２０をなす陽極部２１と陰極部２２には、気泡を上方の貯水部９０に進みやすくする貫通孔２１ａ、２２ａがそれぞれ複数穿設される構成である。これら陽極部２１と陰極部２２は前記制御回路部６０と電気的に接続されて通電を制御される。
【００３１】
こうした対向電極部２０に対し、チャンバー部１０内の対向電極部２０周囲に水が存在する状態で、制御回路部６０による制御下で通電を実行することで、水の電気分解を行わせて水素と酸素の気泡を発生させ、これらの気体を貯水部９０内の水に導入する仕組みである。
【００３２】
対向電極部２０は、支持枠部８０に取り付けた状態で、チャンバー部１０内の上部に配置され、対向電極部２０で発生した気泡を貯水部９０へ移行しやすくしている。この対向電極部２０の上側には、支持枠部８０の一部が対向電極部２０をカバー状に覆う配置として設けられており、対向電極部２０を支持枠部８０で保護する構造となっている。
【００３３】
そして、チャンバー部１０に対し対向電極部２０は着脱可能とされており、対向電極部２０をチャンバー部１０から取り外した場合には、対向電極部２０に対し析出物を除去するなどメンテナンスを行える他、新品と交換することができる。
【００３４】
なお、対向電極部２０をなす陽極部２１と陰極部２２は、金属製の単純な平板状の薄板として形成される構成に限らず、表面積を増やすように凹凸やリブを設けたり、細かく蛇腹状に多数回屈曲させた形状を有するものとすることもできる。
【００３５】
前記ポンプ部３０は、水流発生手段としてチャンバー部１０内に対向電極部２０の側方に位置するようにして配設され、対向電極部２０の陽極部２１と陰極部２２間に水の流通状態を生じさせるものであり、制御回路部６０と電気的に接続されて受電部５０から電力供給可能とされる構成である。このポンプ部３０は、チャンバー部１０内に配設可能な小型のものとされるが、電力を供給されて作動し、水を送給する機能については公知の電動ポンプと同様のものであり、詳細な説明を省略する。
【００３６】
ポンプ部３０は、給電手段の一部をなす給電部４０から受電部５０を介して電力を供給される制御回路部６０の制御に基づいて作動し、貯水部９０の水を取り入れて対向電極部２０の各陽極部２１と陰極部２２間に送り出すこととなる。
【００３７】
このポンプ部３０で対向電極部２０の陽極部２１と陰極部２２間に生じさせる水流の流速を調整することで、対向電極部２０を出る気泡の大きさを調節制御し、貯水部９０の水に導入する気泡の大きさを適切なものとすることができる。例えば、水流の流速を大きくすると、水素の気泡がより小さい状態で陰極部２２から離れて貯水部９０の水中に導入されることとなり（図５参照）、水中を上昇しにくい小さい水素気泡がより長い時間にわたって水中に保持される状態が見込める。
【００３８】
また、例えば、水流の流速を小さくすると、酸素の気泡が隣接するものと繋がって成長し、気泡がより大きくなった状態で各陽極部２１から離れて貯水部９０の水中に達することとなり（図６参照）、水中を上昇しやすい大きな酸素気泡を速やかに水中から空気中に放出させる状態が見込める。
【００３９】
なお、ポンプ部３０と対向電極部２０との配置関係については、対向電極部２０の隙間の連続方向と平行にポンプ部３０から水を導入可能な例として示しているが、これに限らず、ポンプ部からの水が対向電極部の電極面に対し直角となる向きで送られて、水流が電極部の各貫通孔や電極部の側方を経て電極部間の領域に出入りしながら貯水部９０に向けて進行するように配置を設定する構成とすることもできる。
【００４０】
前記給電部４０は、コイル等を備えて電磁誘導による非接触電力伝送に用いられる公知の装置であり、チャンバー部１０の外側に隣接配置される構成である。この給電部４０が、給電手段の一部をなして、外部の電源から電力供給を受けて、受電部５０との組で電磁誘導等の非接触方式による電力伝送を実現し、受電部５０を介して対向電極部２０やポンプ部３０に電力を供給することとなる。
【００４１】
前記受電部５０は、コイル等を備えて電磁誘導による非接触電力伝送に用いられる給電部４０と対をなす公知の装置であり、チャンバー部１０内における給電部４０と対向する所定箇所に配設され、制御回路部６０と電気的に接続され、この制御回路部６０を介して対向電極部２０及びポンプ部３０に電力供給可能とされる構成である。
【００４２】
この受電部５０も、前記支持枠部８０に取り付けられて、支持枠部８０ごとチャンバー部１０に対し着脱可能とされるものである。
受電部５０を一体の支持枠部８０や他の部品と共にチャンバー部１０の外に取り外すと、給電部４０と受電部５０とによる電力伝送が可能となる条件を維持できなくなり、電力伝送が途絶えることとなる。この場合、対向電極部２０やポンプ部３０等への通電を自動的に停止状態にできることから、露出した対向電極部２０等に接触しても安全を確保できる。
【００４３】
なお、受電部５０は、対をなす給電部４０から非接触給電方式で電力供給を受けるコイル等の素子と周辺回路を組み合わせた電子部品とされる構成に限られるものではなく、直接接触型の導電構造をなす、すなわち、この受電部が、端子をなす導電部材で形成されて、対向電極部２０の陽極部２１や陰極部２２と電気的に接続されると共に、チャンバー部１０を貫通して外部に達した一部を給電手段側の端子部と電気的に接続させる構成とすることもできる。
【００４４】
この受電部５０及び給電部４０については、電力伝送と並行して給電部４０と受電部５０間での通信を可能とされる。これら給電部４０と受電部５０を通じて、操作制御部７０から制御回路部６０への対向電極部２０の通電制御に係る信号送信が行える。
【００４５】
前記制御回路部６０は、チャンバー部１０内に防水状態として配設され、対向電極部２０とポンプ部３０に電気的に接続されると共に、受電部５０とも電力供給を受ける状態で接続されて、対向電極部２０とポンプ部３０への受電部５０からの通電を制御するものである。使用者により操作制御部７０からの操作入力がなされて、この操作制御部７０からの制御信号が制御回路部６０に入力された場合に、制御回路部６０は操作に対応させて対向電極部２０とポンプ部３０へ通電がなされるように制御する。
【００４６】
前記操作制御部７０は、給電部４０と電気的に接続され、貯水部９０の外に、例えば浴室等の浴槽への給湯操作用パネルの接地面と同じ壁等に埋め込まれる形で配設され、使用者の入力操作を受けて、給電部４０と受電部５０を通じてなされる通信を経て、制御回路部６０に対する制御指示を送信可能とされる構成である。
【００４７】
この操作制御部７０は、電源の入切や水への水素導入のための通電開始等を指示する複数のスイッチを有して、使用者の操作入力を受付けるものであり、操作制御部７０から制御回路部６０への対向電極部２０やポンプ部３０の通電制御に係る信号送信が、給電部４０と受電部５０を通じてなされることとなる。
【００４８】
前記支持枠部８０は、チャンバー部１０に対し、貯水部９０の内側領域の方から着脱可能に配設される枠状体であり、対向電極部２０、ポンプ部３０、及び受電部５０を取り付けられ、これらを一体としてチャンバー部１０に対し着脱可能とするものである。この他、支持枠部８０には制御回路部６０も取り付けられ、この制御回路部６０を支持枠部８０ごとチャンバー部１０に対し着脱可能とすることができる。
【００４９】
この支持枠部８０の一部は、対向電極部２０の上側に位置して対向電極部２０をカバー状に覆う配置とされており、対向電極部２０を貯水部９０側から人が誤って触れないよう隔離、保護する一方、水や気泡は通過可能として、対向電極部２０における水の電気分解や、対向電極部２０側から貯水部９０側への水素気泡の進行を妨げないものとなっている。
【００５０】
支持枠部８０とこれに取り付けられる各部品は、チャンバー部１０に対し貯水部９０の内側領域の方から貯水部９０の底の開口部分を通じて、支持枠部８０ごとチャンバー部１０に対し着脱されることとなる。
【００５１】
次に、本実施形態に係る水素生成システムの使用状態について説明する。前提として、貯水部９０の外に設けられる給電手段の一部としての給電部４０が、給電手段の他部をなす電源装置（図示を省略）と接続されて電力供給を受けられることとなっており、給電部４０と受電部５０の組による公知の非接触電力伝送に基づいて、対向電極部２０やポンプ部３０への電力供給が可能な状態にあるものとする。また、チャンバー部１０には対向電極部２０、ポンプ部３０、受電部５０、及び制御回路部６０があらかじめ配設された上で、貯水部９０には十分な量の水が導入されているものとする。
【００５２】
なお、あらかじめ設定された標準的な通電時間で通電を行っても、水質により所望の水素気泡を生成できないことを確認した場合には、貯水部９０の水に電解補助剤としてのカルシウム剤等を補充して、水質を電気分解で適切な量の水素気泡を生成可能な状態に調整するようにしてもよい。
【００５３】
まず、貯水部９０での水素生成に係る使用者の操作入力を受入れ可能となっている操作制御部７０に対し、使用者が、水素生成指示用のスイッチを押すなどの指示操作入力を行うと、給電部４０に通電され、給電部４０と受電部５０との間で非接触の電力伝送が開始し、チャンバー部１０内の制御回路部６０が電力供給を受けて作動する。
【００５４】
この給電部４０と受電部５０との間での電力伝送と並行して、給電部４０と受電部５０間で通信も可能となっており、操作制御部７０で受入れた操作入力に係る制御信号が、操作制御部７０から給電部４０への導線による信号伝送、給電部４０と受電部５０との間の非接触の通信、及び受電部５０から制御回路部６０への導線による信号伝送を経て、最終的に制御回路部６０に送信される。
【００５５】
この制御信号を制御回路部６０が受信すると、操作制御部７０で受入れた操作入力内容に基づき、制御回路部６０は、あらかじめ設定された量の水素気泡が得られるように、対向電極部２０の陽極部２１及び陰極部２２への通電を実行させ、チャンバー部１０内の対向電極部２０周囲の水の電気分解を進行させる。
【００５６】
対向電極部２０の陽極部２１及び陰極部２２への通電による水の電気分解は、対向する陽極部２１と陰極部２２に挟まれた領域で進行していく。公知の水の電気分解の場合と同様、陰極部２２側では、還元により気体の水素が生じることとなり、陰極部２２表面に水素が気泡として多数発生し、且つ各気泡が成長する状態となる。
また、陽極部２１側では、酸化により気体の酸素が生じることとなり、陽極部２１表面に酸素が気泡として多数発生し、且つ各気泡が成長する状態となる。
【００５７】
制御回路部６０は、電気分解に係る対向電極部２０への通電と共に、ポンプ部３０への通電も合わせて行っており、電気分解と同時に、ポンプ部３０の作動により対向電極部２０の陽極部２１と陰極部２２間への水の送給がなされ、陽極部２１と陰極部２２の間には水が流れる状態となっている。
【００５８】
こうして電気分解を行う中、陽極部２１や陰極部２２の表面で発生した気泡は、水の流れがない場合は所定の大きさまで成長後、その浮力により陽極部２１や陰極部２２を離れることとなるが、ポンプ部３０が陽極部２１と陰極部２２の間に十分な水流を生じさせていることで、陰極部２２で発生した水素気泡の陰極部２２表面からの離脱を促せることとなる。
【００５９】
したがって、陰極部２２表面に発生した水素の気泡は、あまり成長せず小さい状態のまま陰極部２２表面から離れ、陽極部２１や陰極部２２の側方あるいは貫通孔を通って上方へ向かい、水中をチャンバー部１０から貯水部９０内へと進む。
【００６０】
このように水素気泡が上方へ進んで、貯水部９０の水中に達する際に、気泡を小さいままとしていることで、水素気泡の浮力を抑えることができ、水素気泡を早期に浮上させず水中により長く保持させられる。すなわち、水中における水素の量（濃度）を大きくすることができ、水中での水素による酸化防止の機能を最大限発揮させられる。
【００６１】
気泡の大きさは、制御回路部６０によるポンプ部３０の作動状態の制御で、水流の流速を変えて、水流が気泡を対向電極部２０の各表面から引き離す度合いを変化させることで調整でき、気泡をより小さくして浮力を抑え、上昇しにくくして水中に長く留まるようにしたり、気泡を大きくして浮力を増やし、上昇しやすくして水中から空気中へ速やかに放出されるようにすることが可能である。
【００６２】
また、給電されて作動するポンプ部３０が、対向電極部２０の陽極部２１と陰極部２２の間に十分な水流を生じさせることで、対向電極部２０と貯水部９０内の水との接触機会を増やし、水の電気分解を促して水素を効率よく発生させることができる。
【００６３】
対向電極部２０への通電によりチャンバー部１０で水の電気分解が行われ、貯水部に水素気泡が導入される間、操作制御部７０では、水素発生に係る操作を受けてからの経過時間を計測し取得している。この経過時間が、あらかじめ設定された水の電気分解を終了すべき時間に達すると、操作制御部７０は給電部４０に対しその電力伝送に係る作動を停止させる制御信号を送信し、これを受けた給電部４０が受電部５０への電力伝送を行わない状態に移行することで、対向電極部２０等への通電が行われなくなり、水の電気分解が終了する。
【００６４】
水の電気分解で水素を発生させる使用を繰り返して、長期の使用により対向電極部２０やポンプ部３０にメンテナンスや交換の必要が生じた場合には、対向電極部２０やポンプ部３０をこれらと一体の支持枠部８０ごとチャンバー部１０内から引き出して取り外し（図７参照）、必要に応じて対向電極部２０やポンプ部３０をさらに支持枠部８０から取り外して、これらに対するメンテナンス等を行うこととなる。
【００６５】
支持枠部８０に取り付けた対向電極部２０やポンプ部３０、制御回路部６０をあらためてチャンバー部１０内に配設する場合には、各部品を支持枠部８０ごと貯水部の内側領域の方から貯水部の底の開口部分を通じてチャンバー部１０に挿入して取り付けることとなる。この場合、支持枠部８０と各部品のチャンバー部１０への取付に係り、受電部５０がチャンバー部１０外の給電部４０と対向する適切な箇所に確実に位置して電力伝送を適切に行えるように、取付位置や向きの目安となる目印（マーク）を支持枠部８０とチャンバー部１０の双方に設けたり、支持枠部８０がチャンバー部１０に対し取付位置及び向きが適切となる場合のみ、互いに嵌合して支持枠部８０と各部品がチャンバー部１０に収まる形状となるように形成するのが好ましい。
【００６６】
このように、本実施形態に係る水素生成システムは、貯水部９０内の水が流通するチャンバー部１０内の対向電極部２０の陰極部２２表面に電気分解に伴う水素の気泡を発生させると共に、ポンプ部３０で対向電極部２０間に水流を積極的に生じさせ、水素気泡を対向電極部２０の表面から離脱させてチャンバー部１０から貯水部９０内に進行させ、貯水部９０内の水に導入された水素気泡が貯水部９０内の水の水素濃度を高めることから、対向電極部２０の陰極部２２表面に発生した水素の気泡を、ポンプ部３０による水流が、気泡が小さいうちに離脱させて貯水部９０の水中に導入でき、小さい気泡とされて浮力を抑えられた水素気泡を早期に浮上させることなく水中により長く保持可能となり、電気分解で生成した水素をできるだけ貯水部９０内の水中に残存させて、貯水部９０内で水素による酸化防止効果を効率よく発揮させることができる。
【００６７】
また、貯水部９０内の水に水素の気泡を直接導入する簡略な構造として、容易に設置することができ、導入のためのコストを抑えられる。さらに、貯水部９０に繋がる凹部であるチャンバー部１０に対向電極部２０を配置して、貯水部９０内に人が入る場合にチャンバー部１０内には手足が届きにくいことで、貯水部９０内で人が誤って対向電極部２０に接触するような事態も起こりにくく、信頼性や安全性を確保できる。
【００６８】
なお、前記実施形態に係る水素生成システムにおいては、チャンバー部１０を貯水部９０の底に、この底から外側に突出する配置として配設する構成としているが、これに限らず、チャンバー部を、所定量の水又は湯を保持する貯水部における水面位置より下側にあたる壁の所定箇所に、この壁から外側に突出する配置として配設し、貯水部の壁の開口部分を通じて貯水部の内側領域に連通する空隙部分を合わせて設ける構成とすることもでき、前記実施形態同様に、チャンバー部の空隙部分に貯水部内の水又は湯を流通可能として、チャンバー部から貯水部の水に水素の気泡を導入することができる。
【００６９】
また、貯水部の形状が底とその周囲の壁からなる単純な凹形状ではなく、底や壁から凸状や壇状に一部突出した複雑なものであっても、使用状態における貯水部９１内の水面位置より下側で水と接触可能な箇所であれば、凸状又は壇状部分の上面や側面を貯水部９１の底や壁の一部として、これらに開口部分を位置させるようにチャンバー部１１を配設する構成としてもよい（図８参照）。
【００７０】
この他、貯水部が浴槽であって、浴槽内の水や湯を一旦外部に導いて給湯器やいわゆるバランス釜等を通過させた後、再び浴槽に戻すような循環流路を浴槽内に連通させるために、浴槽の壁や底に水の流入口や流出口を設けたり、流入出口をまとめた循環金具（循環アダプタ）を設ける場合においては、例えば、図９に示すように、浴槽である貯水部９２の壁に対し、水の流入口をなす器具９３の貯水部外側に突出した部分がチャンバー部１２を兼ねるようにし、その内部の水の流入路に対向電極部２０を設ける構成とすることもできる。
【００７１】
こうした構成では、貯水部内と外部の給湯器やバランス釜等との間で水や湯が循環することに伴う流れをそのまま水流発生手段で生じさせた流れと見なすことができ、この流れがある中で対向電極部２０により電気分解を行わせ、水素気泡を発生させるようにすれば、対向電極部２０間に水流を生じさせることのみを目的として特別な水流発生手段を設けずに済むこととなる。
【００７２】
また、前記実施形態に係る水素生成システムにおいては、特別な給電部４０と受電部５０の組を用いて、チャンバー部１０内各部品への電力供給をケーブル等導体を介さず非接触電力伝送により行い、合わせて外部からチャンバー部１０内への制御用信号の送信も給電部４０と受電部５０間の電力伝送同様の非接触通信を介して行う構成としているが、これに限らず、図１０に示すように、電力供給や制御用信号通信のためにケーブル４３とコネクタ４４による一般的な直接導体接続を採用し、合わせて導体接続部分や、これらケーブル、コネクタ等部品のチャンバー部１０貫通部における防水を図る構成とすることもでき、非接触電力伝送用の特別な給電部や受電部等の部品を用いないことで、部品の入手性の影響をあまり受けずにシステム構築を行える。
【００７３】
また、前記実施形態に係る水素生成システムにおいては、給電手段として外部の電源から供給された電力を給電部４０と受電部５０による非接触電力伝送によりチャンバー部１０内各部品に導入可能とする構成としているが、この他、図１１に示すように、チャンバー部１０内に充電可能な電池６５を設け、対向電極部２０への通電及びポンプ部３０への通電に係る電力供給を電池６５から行う一方、電池６５への充電はチャンバー部１０外の給電部４０とチャンバー部１０内の受電部５０との間の非接触電力伝送により実行する構成とすることもでき、公知の非接触電力伝送による二次電池の充電機構を採用して、より簡略にシステムを構築できる。
【００７４】
また、前記実施形態に係る水素生成システムにおいては、チャンバー部１０内に収める対向電極部２０やポンプ部３０等の各部品を支持枠部８０と一体化し、これら各部品に対するメンテナンス等の取り扱いに際して、これら各部品を支持枠部８０ごとチャンバー部１０に対しまとめて着脱する構成としているが、これに限られるものではなく、対向電極部２０やポンプ部３０等の各部品を支持枠部に対し分離可能としたり、これら各部品をそれぞれ取り付けられた支持枠部の一部を支持枠部の他部に対し分離可能としたり、あるいは支持枠部を用いずに各部品を直接チャンバー部１０に部品ごとに着脱可能に取り付けるようにして、対向電極部２０等の各部品を全てまとめてではなく、一又は複数の部品ごとに分けてチャンバー部１０に対し着脱可能とする構成としてもかまわない。
【００７５】
（本発明の第２の実施形態）
前記実施形態に係る水素生成システムにおいて、水流発生手段としてポンプ部３０を設ける構成としているが、これに限られるものではなく、別の水流発生手段を用いる構成とすることもでき、例えば、水を加熱して熱対流に伴う水流を生じさせるものを採用できる。特に、前記実施形態の、給電部４０との組で非接触電力伝送を行う受電部５０が、原理的に発熱しやすいことは既知であるが、この点を利用した本発明の第２の実施形態として、図１２に示すように、電力伝送に伴い発熱する受電部５２を水流発生手段として用いる構成とすることもできる。
【００７６】
この場合、受電部５２は、電力伝送に伴う発熱で周囲の水を加熱し、水の熱対流を生じさせる。こうした熱による水の対流に伴う上昇流の発生で、受電部５２近くに配設された対向電極部２０の各陽極部２１と陰極部２２周囲で水の上向きの流れが生じ、他部分から水がこの陽極部２１と陰極部２２との間の領域へ流れ込もうとすると共に、陽極部２１と陰極部２２との間から水が周囲に出ようとして、各陽極部２１と陰極部２２間に水の流通状態を与えることとなる。
【００７７】
このように電力伝送を行うチャンバー部１０内の受電部５２から発生する熱で水の熱対流を生じさせ、この熱対流に基づいて対向電極部２０の陽極部２１と陰極部２２間に水を流通させるようにして、受電部５２を水流発生手段としても用いることで、受電部５２の他に別途水流発生手段を設けずに済み、構造を簡略化できると共に、水流を発生させるのに可動部分を有する機構が不要となり、故障が生じにくく、水の流通に係る信頼性を高められる。
【００７８】
この他、図１３に示すように、水流発生手段としてポンプ部に代えてヒータ３２を配設する構成とすることもできる。この場合、ヒータ３２は受電部５０から制御回路部６０を通じて電力を供給されて発熱し、周囲の水を加熱して水の熱対流を生じさせることで、前記同様に対向電極部２０の各陽極部２１と陰極部２２間に水の流通状態を与えることができる。
【００７９】
こうして、チャンバー部１０内のヒータ３２から発生する熱で水の熱対流を生じさせ、この熱対流に基づいて対向電極部２０の陽極部２１と陰極部２２間に水を流通させるようにして、ヒータ３２を水流発生手段として用いることで、水流発生手段の構造を簡略化できると共に、水流を発生させるのに可動部分を有する機構が不要となり、故障が生じにくく、水の流通に係る信頼性を高められる。
【００８０】
なお、このような受電部やヒータ等の発熱源から発生する熱で水を加熱し、熱対流を利用して対向電極部２０の陽極部２１と陰極部２２間に水を流通させるようにする場合、図１４に示すように、対向電極部２５をなす陽極部２６と陰極部２７の並ぶ向きを上下方向と直角をなす向きとし、陽極部２６と陰極部２７の間の隙間が上下方向に連続するように配置する構成とすることもでき、発熱源で加熱された水が陽極部２６と陰極部２７の間での上昇を他から特に妨げられることなく継続でき、陽極部２６と陰極部２７の間で水が連続して流通する状態を確保できることとなり、熱対流に伴う流速をできるだけ大きくして水素気泡の引き離し性を向上させ、貯水部へ向かう水素気泡をより小さくして水素気泡の上昇を抑え、水中の水素濃度を高められると共に、流通する水と対向電極部との接触頻度を高められ、電気分解の効率を高められる。
【００８１】
（本発明の第３の実施形態）
前記実施形態に係る水素生成システムにおいて、気泡を発生させるために板状の電極板を複数重ねて配置した対向電極部２０を用いる構成としているが、この他、第３の実施形態として、図１５に示すように、給電部４０との組で非接触電力伝送を行う関係上、通電状態となる受電部５７を、対向電極部２８における陽極部と陰極部のいずれか一方を兼ねるものとして用いる構成とすることもできる。
【００８２】
この場合、受電部５７は、耐食性を有する金属材部分が露出したコイル部を有してチャンバー部１０に配設され、対向電極部２８における陽極部と陰極部のいずれか一方を兼ねるようにされることで、給電部４０と受電部５７との間で非接触電力伝送がなされ、且つ対向電極部２８をなす他方の電極にも通電がなされると、受電部５７と他方の電極との間で水の電気分解が生じ、受電部５７では通電に伴って露出金属部分に気泡が発生することとなる。
【００８３】
こうして対向電極部２８の一方の電極を兼ねる受電部５７の金属材部分が、周囲の水の電気分解を進行させ、金属表面で気体を発生させることで、受電部５７の他に別途同極側の電極を設けずに済み、構造を簡略化できると共に、受電部５７での電力伝送に伴って発生する熱が水の熱対流をもたらし、受電部近傍に水の流通状態を与える一種の水流発生手段としても作用することとなり、電極をなす受電部５７近傍における水の流通を促して、受電部５７の金属材部分と貯水部内の水とを接触しやすくし、水の電気分解をより効率よく進められる。
【符号の説明】
【００８４】
１                水素生成システム
１０、１１、１２  チャンバー部
２０、２５        対向電極部
２１、２６        陽極部
２２、２７        陰極部
２１ａ、２２ａ    貫通孔
２８              対向電極部
３０              ポンプ部
３２              ヒータ
４０              給電部
５０              受電部
５１              操作部
５２、５７        受電部
６０              制御回路部
６５              電池
７０              操作制御部
８０              支持枠部
９０、９１、９２  貯水部
９３              器具
【図１】
2018023937.tif 000003
【図２】
2018023937.tif 000004
【図３】
2018023937.tif 000005
【図４】
2018023937.tif 000006
【図５】
2018023937.tif 000007
【図６】
2018023937.tif 000008
【図７】
2018023937.tif 000009
【図８】
2018023937.tif 000010
【図９】
2018023937.tif 000011
【図１０】
2018023937.tif 000012
【図１１】
2018023937.tif 000013
【図１２】
2018023937.tif 000014
【図１３】
2018023937.tif 000015
【図１４】
2018023937.tif 000016
【図１５】
2018023937.tif 000017